(57)【要約】      （修正有）【課題】照明を定期的に効率よく交換することを可能にして、オフィスや家庭の居住環境をより快適にする照明情報処理装置を提供する。【解決手段】使用済み照明を、他の照明に交換することを促す交換促進情報を、サーバー１から顧客端末２に出力する。交換促進情報には照明を新しいものに交換した場合のシミュレーション画像や費用見積などが含まれる。サーバーは、使用済み照明を、他のＬＥＤ照明に交換することを依頼する交換依頼情報を、顧客端末から取得した場合、再利用する照明の情報を管理する再利用ファイルに、使用済み照明の情報を追記する。なお、この使用済み照明は、他のＬＥＤ照明に交換した後も、照明として使用可能である。また、交換促進情報は、所定の交換タイミングにより顧客端末に出力される。【選択図】図１
0003228783.tif 000002
【実用新案登録請求の範囲】
【請求項１】
使用済みＬＥＤ照明を、他のＬＥＤ照明に交換することを促す交換促進情報を出力する交換促進情報出力手段と、
前記使用済みＬＥＤ照明を、前記他のＬＥＤ照明に交換することを依頼する交換依頼情報を取得する交換依頼情報取得手段と、
前記交換依頼情報を取得した場合、再利用する照明の情報を管理する再利用ファイルに、前記使用済みＬＥＤ照明の情報を追記する追記手段と、
を備え、
前記使用済みＬＥＤ照明は、前記他のＬＥＤ照明に交換した後もＬＥＤ照明として使用可能であることを特徴とする照明情報処理装置。
【請求項２】
前記再利用ファイルは、
レンタルされた前記使用済みＬＥＤ照明を、ＬＥＤ照明として再利用するためのファイルであることを特徴とする請求項１記載の照明情報処理装置。
【請求項３】
前記再利用ファイルに前記使用済みＬＥＤ照明の情報を追記する処理は、ＬＥＤ照明の交換作業が終了したことを示す報告データを受信した後に行われる処理であることを特徴とする請求項１記載の照明情報処理装置。
【請求項４】
前記使用済みＬＥＤ照明を、前記他のＬＥＤ照明に交換することを促すタイミングを取得する交換タイミング取得手段を備え、
前記タイミングは前記使用済みＬＥＤ照明の設置日に基づいて設定され、
前記交換促進情報出力手段は、前記タイミングに基づいて前記交換促進情報を出力することを特徴とする請求項１または請求項３記載の照明情報処理装置。
【請求項５】
前記交換促進情報には、前記他のＬＥＤ照明に交換した場合のシミュレーション情報が含まれることを特徴とする請求項１記載の照明情報処理装置。
【請求項６】
前記シミュレーション情報は、前記シミュレーション情報を作成するための要素となる要素情報に基づいて作成されるものであり、
前記要素情報には、
前記他のＬＥＤ照明の設置位置、
または前記他のＬＥＤ照明を設置する部屋の広さ、
または前記他のＬＥＤ照明を設置する部屋の高さ、
または前記他のＬＥＤ照明を設置する部屋の向き、
または前記他のＬＥＤ照明を設置する部屋の窓の大きさ、
または前記他のＬＥＤ照明を設置する角度、
または前記他のＬＥＤ照明を設置する部屋の壁の色、
または前記他のＬＥＤ照明の色温度、
が含まれることを特徴とする請求項５記載の照明情報処理装置。
【請求項７】
前記シミュレーション情報には、
前記使用済みＬＥＤ照明の使用を継続した場合と、前記他のＬＥＤ照明に交換した場合との比較情報が含まれることを特徴とする請求項５記載の照明情報処理装置。
【請求項８】
前記交換促進情報には、前記他のＬＥＤ照明に交換した場合の光熱費が含まれることを特徴とする請求項１記載の照明情報処理装置。
【請求項９】
前記交換促進情報には、前記他のＬＥＤ照明に交換した場合の光熱費の見積額が含まれ、前記見積額は、前記使用済みＬＥＤ照明の情報を要素として算出されることを特徴とする請求項１記載の照明情報処理装置。
【請求項１０】
前記交換促進情報には、前記他のＬＥＤ照明に交換した場合の光熱費の見積額が含まれ、
前記見積額は、前記使用済みＬＥＤ照明の劣化状況により変動することを特徴とする請求項１記載の照明情報処理装置。
【考案の詳細な説明】
【技術分野】
【０００１】  本考案は、照明を定期的に効率よく交換することを可能にする装置等に関するものである。
【背景技術】
【０００２】  近年、オフィスや家庭等で利用される照明は、従来の照明に比べ、消費電力が少なく、更にはその寿命も長いという特徴がある。特に、発光ダイオード技術を利用した電球や蛍光灯などのＬＥＤ照明においてはこの特徴が顕著である。
また、これら照明は、このような特徴を有するため、どのオフィスや家庭でも「照明の寿命が尽きるまで使い切る」というのが常識であった。
【先行技術文献】
【非特許文献】
【０００３】
【非特許文献１】ｈｔｔｐ：／／ｗｗｗ．ｔｏｈａ−ｓｅａｒｃｈ．ｃｏｍ／ｐｃ／ｌｅｄ．ｈｔｍ／  「とはサーチ」のＬＥＤ解説ページ／検索日  ２０１５年６月１０日
【考案の概要】
【考案が解決しようとする課題】
【０００４】  しかし、照明の技術は日進月歩であり、古い照明を新しい照明に交換すれば、オフィスや家庭の居住環境はより快適になる。
また、近年の照明は寿命が長いので、交換された古い照明は、他のオフィスや他の家庭で再利用することができ、古い照明が無駄になることがない。
すなわち、照明を定期的に交換すれば、上記のような利点があるにも拘わらず、それを実現する仕組みや、その仕組みを実現するための装置などはこれまで提供されていなかったのである。【０００５】  本考案は、このような課題を解決するためのものであり、照明を定期的に効率よく交換することを可能にして、オフィスや家庭の居住環境をより快適にする装置等を提供するものである。
【課題を解決するための手段】
【０００６】  上記問題を解決するため、本考案では、次の手段を備える装置が提供される。
（１）使用済みＬＥＤ照明を、他のＬＥＤ照明に交換することを促す交換促進情報を出力する交換促進情報出力手段と、前記使用済みＬＥＤ照明を、前記他のＬＥＤ照明に交換することを依頼する交換依頼情報を取得する交換依頼情報取得手段と、前記交換依頼情報を取得した場合、再利用する照明の情報を管理する再利用ファイルに、前記使用済みＬＥＤ照明の情報を追記する追記手段と、を備え、前記使用済みＬＥＤ照明は、前記他のＬＥＤ照明に交換した後もＬＥＤ照明として使用可能である。
（２）前記再利用ファイルは、レンタルされた前記使用済みＬＥＤ照明を、ＬＥＤ照明として再利用するためのファイルである。
（３）前記再利用ファイルに前記使用済みＬＥＤ照明の情報を追記する処理は、ＬＥＤ照明の交換作業が終了したことを示す報告データを受信した後に行われる処理である。
（４）前記使用済みＬＥＤ照明を、前記他のＬＥＤ照明に交換することを促すタイミングを取得する交換タイミング取得手段を備え、前記タイミングは前記使用済みＬＥＤ照明の設置日に基づいて設定され、前記交換促進情報出力手段は、前記タイミングに基づいて前記交換促進情報を出力する。
（５）前記交換促進情報には、前記他のＬＥＤ照明に交換した場合のシミュレーション情報が含まれる。
（６）前記シミュレーション情報は、前記シミュレーション情報を作成するための要素となる要素情報に基づいて作成されるものであり、前記要素情報には、
前記他のＬＥＤ照明の設置位置、または前記他のＬＥＤ照明を設置する部屋の広さ、または前記他のＬＥＤ照明を設置する部屋の高さ、または前記他のＬＥＤ照明を設置する部屋の向き、または前記他のＬＥＤ照明を設置する部屋の窓の大きさ、または前記他のＬＥＤ照明を設置する角度、または前記他のＬＥＤ照明を設置する部屋の壁の色、または前記他のＬＥＤ照明の色温度、が含まれる。
（７）前記シミュレーション情報には、前記使用済みＬＥＤ照明の使用を継続した場合と、前記他のＬＥＤ照明に交換した場合との比較情報が含まれる。
（８）前記交換促進情報には、前記他のＬＥＤ照明に交換した場合の光熱費が含まれる。
（９）前記交換促進情報には、前記他のＬＥＤ照明に交換した場合の光熱費の見積額が含まれ、前記見積額は、前記使用済みＬＥＤ照明の情報を要素として算出される。
（１０）前記交換促進情報には、前記他のＬＥＤ照明に交換した場合の光熱費の見積額が含まれ、前記見積額は、前記使用済みＬＥＤ照明の劣化状況により変動する。
【考案の効果】
【０００７】（１）本考案は、使用しているＬＥＤ照明を、新しいＬＥＤ照明に定期的に交換できるので、オフィスや家庭の居住環境をより快適にすることができる。
（２）本考案は、使用済みＬＥＤ照明を再利用するので、使用済みＬＥＤ照明が無駄になることがない。
（３）本考案は、交換タイミングを取得し、そのタイミングでＬＥＤ照明を交換するので、そのタイミングを調整することにより、最も効果的なタイミングでＬＥＤ照明を交換することができる。
（４）本考案は、新しいＬＥＤ照明に交換した場合のシミュレーション情報を顧客に提供するので、顧客は交換する利点を容易にイメージすることができる。
（５）本考案は、様々な要素に基づいてシミュレーション結果を作成するので、より正確なシミュレーション結果を作成することができる。
（６）本考案は、交換前後の比較情報を提供するので、顧客は交換する利点を容易に理解することができる。
（７）本考案は、立体画像のシミュレーション情報を作成するので、顧客は直感的に交換する利点を理解することができる。
（８）本考案は、新しいＬＥＤ照明に交換した場合の光熱費を提供するので、顧客は費用面の利点を容易に理解することができる。
（９）本考案は、使用済みＬＥＤ照明の情報（特に劣化状況）を要素として見積額を算出する。よって、使用済みＬＥＤ照明の状態が良好であれば、その使用済みＬＥＤ照明を高額で販売あるいはレンタルできるので、新しいＬＥＤ照明に交換する際の見積額を安価にすることができる。
【図面の簡単な説明】
【０００８】
【図１】  本考案のハードウェア構成および機能構成の一例を表す図である。
【図２】  交換後のオフィスイメージを表す図である。
【図３】  交換後の光熱費比較を表す図である。
【図４】  記憶装置に記憶されているデータを表す図である。
【図５】  顧客情報を表す図である。
【図６】  設置されているＬＥＤ照明器具の情報を表す図である。
【図７】  新製品情報を表す図である。
【図８】  シミュレーション要素を表す図である。
【図９】  再利用ファイルを表す図である。
【図１０】  更新時を表す図である。
【図１１】  本考案を実施するためのフローチャートである。
【図１２】  ＳＴＥＰ１の詳細な処理を表すフローチャートである。
【図１３】  ＳＴＥＰ２の詳細な処理を表すフローチャートである。
【図１４】  ＳＴＥＰ３の詳細な処理を表すフローチャートである。
【考案を実施するための形態】
【実施例】
【０００９】  本考案の実施例を図に基づいて説明する。
図１は、本考案の実施例のハードウェア構成および機能構成を示した図である。
本考案は、サーバー１と、顧客端末（コンピュータ）２と、記憶装置３とからなり、サーバー１と顧客端末２とはインターネットなどの通信手段を介して情報の送受信ができるよう接続されている。【００１０】  サーバー１と顧客端末２には、本考案を実現するためのコンピュータプログラムや所定のデータが記憶されており、サーバー１と顧客端末２に内蔵されている処理装置はこのコンピュータプログラムの処理命令に従って所定の処理を行う。【００１１】  サーバー１は、照明（主に、ＬＥＤ照明）の管理や販売（レンタル）を行う企業が使用するものであり、情報を取得（入力）する情報取得部１１、処理装置１２、情報を出力（送信）する情報出力部１３とからなる。また、処理装置１２は、交換促進処理部２１・交換処理部２２・再利用処理部２３を含む。
情報取得部１１は、記憶装置３やその他の装置から情報を取得、または情報の入力を受け付ける。
交換促進処理部２１は、使用済み（設置済み）のＬＥＤ照明を他のＬＥＤ照明に交換することを促すための処理を行う。
交換処理部２２は、使用済みＬＥＤ照明を他のＬＥＤ照明に交換するために必要な処理を行う。
再利用処理部２３は、取り外した使用済みＬＥＤ照明を再利用するために必要な処理を行う。
情報出力部１３は、顧客端末２や記憶装置３等に対し情報を出力する。なお、「情報を出力する」とは、情報を送信すること、情報を印刷すること等が含まれる。【００１２】  次に、顧客端末２の表示モニタ（図示せず）に表示されるデータについて説明する。
図２は、使用済み（設置済み）のＬＥＤ照明を、新しいＬＥＤ照明に交換した場合のシミュレーション画像を表した図である。左欄は設置済みのＬＥＤ照明で照らされたオフィス（暗いオフィス）のイメージ図であり、右欄は新しいＬＥＤ照明に交換した場合のオフィス（明るいオフィス）のイメージ図である。これを閲覧すれば、新しいＬＥＤ照明の方が、オフィスが明るくなることが一目瞭然で分かる。
なお、ここではイメージ図として二次元画像を用いているが、これを三次元（３Ｄ）画像にすれば、よりイメージが鮮明となる。
また、画面右下の「交換依頼」のアイコンをクリックすることにより、後述する「交換依頼データ」が顧客端末２からサーバー１に送信される。【００１３】  図３は、光熱費の比較を表した図である。左欄は設置済みの（現在の）ＬＥＤ照明の光熱費を表し、右欄は新しいＬＥＤ照明に交換した場合の光熱費の見積額を表している。これを閲覧すれば新しいＬＥＤ照明の方が、光熱費を節約できることが一目瞭然で分かる。
また、画面右下の「交換依頼」のアイコンをクリックすることにより、後述する「交換依頼データ」が顧客端末２からサーバー１に送信される。【００１４】  次に、記憶装置３に記憶されている情報について説明する。
図４は、記憶装置３に記憶されている情報の概要である。記憶装置３には、顧客情報、設置されているＬＥＤ照明器具の情報、新製品情報、シミュレーション要素、更新時、再利用ファイルが記憶されている。【００１５】  図５は、顧客情報である。この情報は、例えばＬＥＤ照明を設置している会社の情報であり、顧客名・住所・電話番号・担当者などが各々関連づけられた情報である。【００１６】  図６は、設置されているＬＥＤ照明器具の情報である。この情報は、顧客である会社のオフィスに既に設置されているＬＥＤ照明に関する情報であり、識別番号・商品型番・性能・設置日（取り付けた日）などが各々関連づけられた情報である。
識別番号はオフィスに複数設置されたＬＥＤ照明を１つ１つ識別するための固有のＩＤである。
商品型番は、ＬＥＤ照明のメーカーが付与した番号であり、その商品の種類を特定するための情報である。
性能とは、そのＬＥＤ照明の明るさや耐久性などの情報である。
設置日とは、そのＬＥＤ照明が、そのオフィスに設置された日（取り付けられた日）である。【００１７】  図７は、新製品情報である。この情報は新しく販売されたＬＥＤ照明器具の情報であり、識別番号・商品型番・性能などが各々関連づけられた情報である。
識別番号はそのＬＥＤ照明を１つ１つ識別するための固有のＩＤである。
商品型番は、ＬＥＤ照明のメーカーが付与した番号であり、その商品の種類を特定するための情報である。
性能とは、そのＬＥＤ照明の明るさや耐久性などの情報である。【００１８】  図８は、シミュレーション要素である。この情報は、既に設置されているＬＥＤ照明を使い続けた場合、および新製品のＬＥＤ照明に交換した場合のオフィスのシミュレーションを行う際に、その要素となる情報であり、設置位置・部屋の広さや高さ・向き・窓の大きさ・光の角度（ＬＥＤ照明の設置角度）・壁の色・照明の色温度などが各々関連づけられた情報である。なお、ここで示した要素は一例であり、この他にも様々な要素がある。【００１９】  図９は、再利用ファイルであり、上段が更新前の状態を表し、下段が更新後の状態を表している。この情報は、既に設置されているＬＥＤ照明を新しいＬＥＤ照明に交換した場合、交換されたＬＥＤ照明（取り外した使用済みＬＥＤ照明）を、他者に再度販売またはレンタルするために使用されるファイルであり、使用済みＬＥＤ照明を管理するためのファイルである。
例えば、あるオフィスに設置されていた識別番号「Ｌ００１」というＬＥＤ照明が取り外され、新しいＬＥＤ照明と交換された場合、「Ｌ００１」がこの再利用ファイルに追記される。すなわち、このファイルは上段から下段のように更新される。これにより、識別番号「Ｌ００１」という使用済みＬＥＤ照明は、他の者に販売・レンタルされることになる。【００２０】  図１０は、更新時を表したデータである。このデータは、設置されたＬＥＤ照明の交換を検討する時期（交換タイミング）を示したデータであり、ここでは「設置日から１年」となっているが、その時期は任意で設定できる。【００２１】  次に、本実施例の処理手順について説明する。
図１１は本実施例の処理手順を示すフローチャートである。このフローチャートは、更新時確認処理（ＳＴＥＰ１）、交換促進処理（ＳＴＥＰ２）、交換処理（ＳＴＥＰ３）、再利用処理（ＳＴＥＰ４）とからなる。【００２２】  ＳＴＥＰ１は、更新時確認処理であり、その詳細は図１２の通りである。
ＳＴＥＰ１−１は、設置日取得処理である。
交換促進処理部２１は、図６の「設置されているＬＥＤ照明器具の情報」の「設置日」を参照し、設置されているＬＥＤ照明の設置日を取得する。【００２３】  ＳＴＥＰ１−２は、更新時取得処理である。
交換促進処理部２１は、図１０の「更新時」を参照し、更新すべき期間（タイミング）を取得する。【００２４】  ＳＴＥＰ１−３は、更新時到来判断処理である。
交換促進処理部２１は、取得した「設置日」と「更新時」とに基づいて、更新時（交換タイミング）が到来したか否かを判断し、到来した場合はＳＴＥＰ２に進み、到来していない場合はＳＴＥＰ１−１に戻り、所定の期間後再度ＳＴＥＰ１−１を行う。【００２５】  ＳＴＥＰ２は、交換促進処理であり、その詳細は図１３の通りである。
ＳＴＥＰ２−１およびＳＴＥＰ２−２は、シミュレーション結果作成処理および見積作成処理である。
交換促進処理部２１は、図６の「設置されているＬＥＤ照明器具の情報」と、図７の「新製品情報」と、図８の「シミュレーション要素」とを記憶装置３から取得し、それら情報に基づいてシミュレーション結果を作成する。
なお、シミュレーション結果とは、図２や図３のような内容のものである。すなわち、図２のように交換前と後によりオフィスの明るさ等が異なること、図３のように交換前と後により光熱費等が異なることを比較可能に表し、且つその見積もりを表したものである。
なお、図２はオフィスのイメージを平面的に表しているが、これを立体的に（３Ｄとして）表せば、よりイメージが鮮明になる。
また、見積額は、使用済みＬＥＤ照明の情報（特に、使用済みＬＥＤ照明の劣化状況）を要素として算出してもよい。この劣化状況は図６の設置日や性能（耐久性）などから算出することができる。【００２６】  ＳＴＥＰ２−３は、送信処理である。
交換促進部２１は、図５の「顧客情報」から「メールアドレス（連絡先）」を取得し、そのメールアドレスに交換促進情報（「シミュレーション結果」と「見積」と「その他交換を促す情報」を含む）を送信する。
このメールを受信した顧客は、設置されているＬＥＤ照明を交換した方が得であることを知ることが出来る。
なお、ここでは更新時が到来したら、このＳＴＥＰ２−３を行うことを説明したが、このＳＴＥＰ２−３は更新時に限らず行うことができる。例えば、ＬＥＤ照明の販売担当者（レンタル担当者）が、送信命令をサーバー１に入力することにより、この処理を強制的に（更新時を待たずに）行うようにしてもよい。このようにすれば、担当者の判断に基づき、より適切なタイミングで顧客に交換を促すことができる。【００２７】  ＳＴＥＰ３は、交換処理であり、その詳細は図１４の通りである。
ＳＴＥＰ３−１は、交換依頼受信確認処理である。
交換処理部２２は、顧客から交換依頼情報を受信（取得）したか否かを確認する。受信した場合は、ＳＴＥＰ３−２に進み、受信しない場合はＳＴＥＰ３−１を所定のタイミングで繰り返す。
なお、交換依頼情報とは、例えば、「使用済みＬＥＤ照明の識別番号」と「それを新しいＬＥＤ照明に交換する意思表示情報」とを関連づけたデータである。
また、交換依頼情報は、顧客端末２から受信して取得する場合もあるが、顧客から電話や口頭で交換依頼を受けた担当者がサーバー１に直接交換依頼情報を入力することにより取得する場合もある。【００２８】  ＳＴＥＰ３−２は、交換作業命令処理である。
交換処理部２２は、交換作業を行う部署の担当者のメールアドレス（図示せず）を取得し、そのメールアドレス宛に、交換依頼があったＬＥＤ照明を交換すべきことを命令するデータを送信する。これにより、交換作業担当者が実際にＬＥＤ照明を交換する作業を行う。【００２９】  ＳＴＥＰ３−３は、作業終了確認処理である。
交換処理部２２は、交換作業を行う部署の担当者から作業終了の報告データを受信したか否かを確認する。受信した場合はＳＴＥＰ４に進み、受信していない場合はＳＴＥＰ３−３を繰り返す。なお、報告データとは、例えば、「使用済みＬＥＤ照明の識別番号」と「それを新しいＬＥＤ照明に交換し終えたことを示す情報」とを関連づけたデータである。【００３０】  ＳＴＥＰ４は、再利用処理である。
再利用処理部２３は、取り外された使用済みＬＥＤ照明の「識別番号：Ｌ００１」を図９の「再利用ファイル」に追記する。すなわち、図９の上段のファイルには「Ｌ００１」は存在しないが、追記することによりこのファイルが更新され、図９下段のように「Ｌ００１」が追記されるのである。
ＬＥＤ照明の販売会社またはレンタル会社は、このファイルを活用して、使用済みＬＥＤ照明を他の者に販売またはレンタルする。【００３１】  上記実施例では、特定の例に基づいて本考案の内容を説明したが、本考案はこれに限るものではない。すなわち、本考案の趣旨に沿うものであれば、上記実施例と異なるハードウェア、異なるデータ、異なる処理手順であってもよい。
例えば、「照明」とは主にＬＥＤ照明を意味するが、ＬＥＤ照明以外の照明器具も含まれる場合がある。
【符号の説明】
【００３２】１    サーバー
２    顧客端末
３    記憶装置
１１  情報取得部
１２  処理装置
１３  情報出力部
２１  交換促進処理部
２２  交換処理部
２３  再利用処理部
【図１】
0003228783.tif 000003
【図２】
0003228783.tif 000004
【図３】
0003228783.tif 000005
【図４】
0003228783.tif 000006
【図５】
0003228783.tif 000007
【図６】
0003228783.tif 000008
【図７】
0003228783.tif 000009
【図８】
0003228783.tif 000010
【図９】
0003228783.tif 000011
【図１０】
0003228783.tif 000012
【図１１】
0003228783.tif 000013
【図１２】
0003228783.tif 000014
【図１３】
0003228783.tif 000015
【図１４】
0003228783.tif 000016